(57)【要約】      （修正有）【課題】手を利用して測定することにより装置を小型、軽量、安価にし、被検者が容易に測定を行える装置で、指骨の骨密度、生体ストレス、体脂肪、血圧の４種類の異なる健康パラメータを１台の装置で測定できる装置を提供する。【解決手段】指骨測定装置の測定部の溝の両側にあるプローブ１を使用し、超音波を送受信して骨密度を評価する指用超音波骨密度測定装置。さらに、両手を手用電極３に接触させ、ヘッドバンド５に取付けられた電極６に額を接触させて各電極間に微弱な電流を流して上半身の生体ストレスを測定する。加えて足用電極７を使用することで、腹部の生体ストレスも測定できる。また、身長、体重、性別を入力し、両手を生体ストレス及び体脂肪用測定部に接触させ、微弱な電流を流して体脂肪を測定する。さらに、血圧を測定することで全般的な健康状態を評価し、得られた結果は表示画面に表示、または外部ＰＣに送信し、表示、印刷できる。【選択図】  図６
2007037618.tif 000002
【特許請求の範囲】
【請求項１】
指骨測定装置は、プログラムされたマイコンまたはコンピュータによって指骨の骨密度を測定する装置であって、２個の超音波プローブが組み込まれており、該超音波プローブから指骨に超音波を送波することで、指骨の骨密度を測定することを特徴とする指骨測定装置。
【請求項２】
指骨測定装置は、手を自然な状態で設置させやすいように、手のひらにフィットする大きさで、なだらかに湾曲した形状をしており、前方中央部から中心部にかけて指を一本入れられる溝になっている。溝の両側に超音波プローブが組み込まれた構造を特徴とする指骨測定装置。
【請求項３】
マルチ式健康測定装置は、指骨の骨密度と生体ストレスを測定することが出来ることを特徴とした装置。
【請求項４】
マルチ式健康測定装置は、指骨の骨密度、生体ストレス、体脂肪を測定することが出来ることを特徴とした装置。
【請求項５】
マルチ式健康測定装置は、指骨の骨密度、生体ストレス、血圧を測定することが出来ることを特徴とした装置。
【請求項６】
マルチ式健康測定装置は、指骨の骨密度と体脂肪を測定することが出来ることを特徴とした装置。
【請求項７】
マルチ式健康測定装置は、指骨の骨密度、体脂肪、血圧を測定することが出来ることを特徴とした装置。
【請求項８】
マルチ式健康測定装置は、指骨の骨密度と血圧を測定することが出来ることを特徴とした装置。
【請求項９】
マルチ式健康測定装置は、プログラムされたマイコンまたはコンピュータによって指骨の骨密度、生体ストレス、体脂肪、血圧を測定する装置であって、超音波を送受信する２つの超音波プローブが組み込まれた指骨用骨密度測定部と、生体ストレス、体脂肪、血圧用測定の、それぞれの機能を１台の装置で全て測定可能となることを特徴とする指骨の骨密度、生体ストレス、体脂肪、血圧を測定することができる装置。
【発明の詳細な説明】
【技術分野】
【０００１】
本発明は、指骨の骨密度、生体ストレス、体脂肪、血圧を測定する装置に関するものである。
【背景技術】
【０００２】
従来の装置に、骨量、体脂肪、体水分、筋肉量、生活代謝カロリーの５項目を測定することができるコンパクトな装置が開示されているが、該装置において骨密度を測定する際に、直接測定せず、関係式などによって間接的に数値を表示しており、信頼性に欠けるという問題がある。
【０００３】
超音波を送波し透過伝播速度や減衰を求め、骨密度、骨量を評価する装置なども提案されている。
【０００４】
また、従来の超音波を利用した骨密度を評価する装置には、足の踵を測定するものが多く、比較的装置としては大型であった。
【０００５】
従来、人体のストレスを測定する装置として、一酸化窒素合成酵素活性を測定し、その測定値を指標とした方法、微小振動を手の指先など人体の末端部で測定し、この測定値からストレス度を測定する装置は、人体の指先等の末梢部である皮膚温度の低下量を測定し、この低下量をもってストレス度の評価値とする装置などが開示されている。
【０００６】
発明人等は超音波を利用して、被検者の骨内部の弾性係数を求めることで、その強度（降伏強度）を推定し、力学計算を用いて、超音波による骨粗しょう症の評価方法およびその装置について提案している。さらには、超音波によって計測を行い、骨塩量を求め、骨質及び骨強度の評価ができる装置についても提案している。
【０００７】
さらに、発明人等は、電極センサー、専用ＢＯＸ、制御部、モニターで構成された、人体のストレスを計測する装置を提案している。
【特許文献１】特開２００２−１７７１１号公報
【特許文献２】特開平０９−２８５４６４号公報
【特許文献３】特開平０９−２０１３５６号公報
【特許文献４】特開平１０−２３４７２９号公報
【特許文献５】特開２０００−０５１２１２号公報
【特許文献６】特開平０８−２６２０２５号公報
【特許文献７】特開平０９−１１７４４０号公報
【特許文献８】特開平０８−２５２２２６号公報
【特許文献９】特開平１０−２９５６９３号公報
【特許文献１０】特許第３１８２５５８号公報
【特許文献１１】特開２００３−１９１２２号公報
【発明の開示】
【発明が解決しようとする課題】
【０００８】
骨粗しょう症患者およびその治療費は年々増加すると推測されている。しかしながら、骨粗しょう症に対する効果的な治療法はまだないため、早い時期に診断して発見することで、骨量および骨強度の減少を評価し、骨折の発生を予防することが重要となる。
【０００９】
上記従来の骨密度、生体ストレスを測定する装置には高価なものが多く、個人で購入するには経済的負担が大きかった。
【００１０】
携帯性のある従来の骨密度や生体ストレスを測定する装置は、１０ｋｇ程度の重量であるものの、持ち運びをするには重すぎるという問題がある。
【００１１】
また、骨密度を測定する際に、骨を直接測定していない装置では信頼性に欠けるという問題がある。
【００１２】
従来主流であった超音波を使用した踵を測定するものは、測定部位（踵）に接触媒質（ゼリー）を塗布するために裸足になる必要があり、特に女性に容易に測定することが出来ない場合が多いという問題がある。
【課題を解決するための手段】
【００１３】
本発明は、人体に無害な超音波を使用して、被検者の骨内部の情報を手の指を測定することで、指骨の骨密度を、電極センサーを通し微弱な電流を流して生体ストレス、体脂肪を、さらに、血圧を測定することにより全般的な健康状態を評価する、これら４種類の異なった健康パラメータの測定機能を組合せた装置にする。
【００１４】
手を利用して測定する装置にすることにより、被検者にとって負担の少ない姿勢で、容易に測定ができるようにする。
【００１５】
搬用性の高い部品の使用など装置の構造を新しいものとし、安価で携帯性のあるものとすることで、個人消費者にも購入しやすい、経済性に優れた装置とする。
【００１６】
統計的手法などにより、信頼性・再現性を向上させたものとする。
【００１７】
健康診断に役立ち、個人消費者が知りたい複数の異なった健康パラメータを、１つの装置で測定できるようにする。
【発明の効果】
【００１８】
本発明は、以上説明したように構成されているので、以下に記載されるような効果を奏する。
【００１９】
手を測定部位として利用した測定装置にすることで、被検者にとって容易に測定ができるものとなった。
【００２０】
前記装置は、１台の装置で複数の異なった健康パラメータが測定できるので、測定ごとにそれぞれ別の装置で測定する必要がなく、被検者に負担のかからない便利なものになった。
【００２１】
搬用性の高い部品の使用など、装置の構造を新しいものとし、安価な装置にすることで携帯性、経済性に優れたものにし、個人消費者にとっても、購入しやすくなる。
【００２２】
統計的手法などの利用や、超音波により直接骨密度の測定をすることで、信頼性と再現性が向上した。
【００２３】
医師等は、ＩＤ番号管理により個人データを保存することができ、過去の結果と比較する等、患者の健康状態の把握に役立てることができる。
【００２４】
手を測定部位として利用し、測定する装置としたことにより、指骨の骨密度、生体ストレス、体脂肪、血圧の、それぞれを測定する装置としては、携帯性に優れ、持ち運びに便利になった。
【００２５】
人体に無害な、超音波や微弱な電流を使用することで、安全に測定をすることができる。
【実施例１】
【００２６】
本発明の実施する指骨の骨密度、生体ストレス、体脂肪、血圧を評価する装置を図面に基づき説明すると、図１において、１は超音波プローブ、２は通信用コネクタ、３は手用電極、図２において３は生体ストレス、体脂肪測定用の手用電極、４は表示画面、図３において５は生体ストレス測定用の２個の額用電極６が取付けられたヘッドバンド、図４において７は生体ストレス測定用の足用電極である。
【００２７】
指骨の骨密度を測定する際は、前記指骨測定装置の前方中央部から中心部にかけての溝の両側に取付けられている２つの超音波プローブ１の間に手の指をはさみこむように、超音波が指の測定部位にあたるように設置し、片方の超音波プローブから超音波を発信させ、反対の超音波プローブで受信する。
【００２８】
超音波プローブ１の間隔と測定された超音波の透過時間から超音波が骨内部を透過する伝播速度が求められる。この求められた超音波伝播速度から骨梁線密度を算出し、骨梁線密度から骨梁面積率を算出させ、骨梁面積率から骨密度を求める。
【００２９】
前記生体ストレス及び体脂肪用測定部の手用電極３に手の平を接触させ、２個の額用電極６が取付けられたヘッドバンド５を頭部に装着し、キャリブレーションを開始し。各電極間に微弱な電流を与え、該電極間から電気信号をインピーダンス（電気特性曲線）として変換し、上半身の生体ストレスの値を算出する。また、足用電極７を使用することで、腹部の生体ストレスも算出できる。
【００３０】
前記電極から得られる電気信号は、電気特性曲線として取り込まれ、この曲線の高さ、傾き及びその違いから人体の生体ストレス度合いを演算し、数値で表示する。
【００３１】
また、体脂肪測定は、身長、体重、性別を入力し、生体ストレス及び体脂肪用測定部の手用電極３に手の平を接触させ、電極間に微弱な電流を流し、水分を多く含む筋肉は電気を通しやすく、脂肪は電気を通しにくいという性質を利用し、身体の電気抵抗（インピーダンス）から体脂肪を評価する。
【００３２】
さらに、血圧測定用の圧迫帯を上腕部に巻き、血圧の測定を行う。
【００３３】
上記の測定により得られた結果は、表示画面に表示またはＵＳＢ等の外部通信コネクタ２により、外部ＰＣや表示器にデータを送信し、表示器で表示、印字器等で印刷することができる。
【００３４】
また、医師等はＩＤ番号管理により、個人のデータを保存しておくことができる。
【００３５】
図６に示すように、各測定部を本体に接続し、測定部をそれぞれ体の各部位に装着し、測定を行う。
【図面の簡単な説明】
【００３６】
【図１】指骨測定装置の説明図である。（ａはイラスト、ｂはデザイン図）
【図２】生体ストレス及び体脂肪測定部の説明図である。
【図３】ヘッドバンドの説明図である。（ａはイラスト、ｂはデザイン図）
【図４】足用電極の説明図である。
【図５】血圧測定用圧迫帯の説明用デザイン図である。
【図６】装置全体の構成を示す説明図である。
【符号の説明】
【００３７】
１  超音波プローブ
２  通信コネクタ
３  手用電極
４  表示画面
５  ヘッドバンド
６  額用電極
７  足用電極
８  血圧測定用圧迫帯
【図１】
2007037618.tif 000003
【図２】
2007037618.tif 000004
【図３】
2007037618.tif 000005
【図４】
2007037618.tif 000006
【図５】
2007037618.tif 000007
【図６】
2007037618.tif 000008